(57)【特許請求の範囲】
【請求項１】
上縁部と下縁部とに掛止溝を有するパネルに、掛止溝間の距離とほぼ同じ間隔をあけて側端側に設けられた上下面を有するオプションを取り付けるパネルのオプション取付構造であって、掛止爪を具備するオプション取付部材を、所望の位置に置いて掛止爪をそれぞれの掛止溝の開口縁から傾斜させた状態から掛止爪の先端が掛止溝の内側の端面に密着する使用位置になるまで回動させながら嵌入し、使用位置において前記上下面に固定して摺動移動不能に静止してオプションを挟持するようにパネルにオプションを取り付けることを特徴とするパネルのオプション取付構造。
【請求項２】
掛止溝が、パネルの上縁部と下縁部を形成するレール部材の側面部分に開口するように形成されることを特徴とする請求項１記載のパネルのオプション取付構造。
【請求項３】
オプションが、パーティションであることを特徴とする請求項１又は２記載のパネルのオプション取付構造。
【発明の詳細な説明】
【０００１】
【発明の属する技術分野】
本発明は、パーティション等に用いられるパネルにボックス等の種々のオプションを取り付けるためのパネルのオプション取付構造に関する。
【０００２】
【従来の技術】
従来、ローパーティション等では、パネル本体とパネル本体のと目地部分に複数の掛止孔を上下方向に設けておき、その掛止孔を使用して、棚等の各種のオプションと取り付けるようにしている。すなわち、このようなローパーティションでは、オプションの背面側に掛止爪を設けておき、その掛止爪を掛止孔に係合させてオプションをローパーティションに取り付けるものである。このような構成では、一つの目地に対して上下に離間した掛止孔に対応して掛止爪を設けておけば、オプションの上下を支持することができ、安定してオプションを取り付けることができる。
【０００３】
【発明が解決しようとする課題】
しかしながら、上記の構成にあっては、オプションは必ず目地間距離に等しい間隔で掛止爪を具備している必要がある。つまり、オプションは必ず目地間にしか取り付けることができず、必要とする場所に対応して目地がない場合には、オプションを取り付けることができなかった。また、オプションとしてのローパーティションをローパーティションに連結しようとしても、目地の位置でしか連結できず、室内の区成をする際に、制約が増加するものであった。
【０００４】
また、ローパーティションの上縁部分を利用して、オプションを横方向にスライド移動可能に取り付けられるものも知られている。しかしながら、このようなものでは、オプションをその上縁部分でのみ保持している構造であるので、オプションの下端部分がスライド移動可能に保持されておらず、所望の場所にオプションを取り付けられるものの、取付状態が不安定であった。
【０００５】
本発明は、このような不具合を解消することを目的としている。
【０００６】
【課題を解決するための手段】
本発明は、このような目的を達成するために、次のような手段を講じたものである。すなわち、本発明に係るパネルのオプション取付構造は、パネルの上縁部と下縁部の係合溝の所望の位置に、オプションを取り付けるための係合爪を回動させながら嵌入させ、使用位置にて摺動移動不能に静止させるように構成することとしている。
【０００７】
本発明は、上縁部と下縁部とに掛止溝を有するパネルに、掛止溝間の距離とほぼ同じ間隔をあけて側端側に設けられた上下面を有するオプションを取り付けるパネルのオプション取付構造であって、掛止爪を具備するオプション取付部材を、所望の位置に置いて掛止爪をそれぞれの掛止溝の開口縁から傾斜させた状態から掛止爪の先端が掛止溝の内側の端面に密着する使用位置になるまで回動させながら嵌入し、使用位置において前記上下面に固定して摺動移動不能に静止してオプションを挟持するようにパネルにオプションを取り付けることを特徴とする。
【０００８】
このような構成によれば、オプション取付部材を掛止溝の所望の位置言い換えれば任意の位置にて回動操作をするだけで掛止溝に嵌入させることができるため、オプションを迅速にパネルに取り付けることが可能になる。したがって、作業時間を短縮することができ、設置作業の能率を向上させることができる。また、パネルに対するオプションの取付位置を、パネルの幅寸法等に拘束されることなく設定することができるので、配置を考える際の自由度を向上させることができる。また、オプションをオプション取付部材により挟持するようにしているので、オプションの上下が確実に支持され、不安定になることを防止することができる。
【０００９】
掛止溝としては、パネルの上縁部と下縁部を形成するレール部材の側面部分に開口するように形成されるものが好適である。このようにすれば、パネルの正面側から作業でき、さらに作業性を向上させることができる。
オプションとしては、例えばパーティション、ボックス、ホワイトボード、メモ等を張り付けるための多目的パネル等が挙げられる。
【００１０】
【実施例】
以下、本発明の一実施例を、図１〜３を参照して説明する。
ローパーティションＬＰは、パネル１と、そのパネル１の上縁部１ａと下縁部１ｂとに固定されるレール部材２を具備している。レール部材２は、押し出し材からなり、その両側面に開口縁２ａが位置する掛止溝２ｂを有している。レール部材２ａを下縁部１ｂに固定する場合は、上下を反転してパネル１に固定するものである。レール部材２は、その断面形状をボックス状に成形して、剛性を高くしてある。
【００１１】
掛止溝２ｂは、レール部材２の全長にわたって設けてあり、開口縁２ａから内側に傾斜しながら湾曲する構造を有している。具体的には、掛止溝２ｂは、レール部材２の上部２ｃを下方に垂下させて垂下壁２ｄを形成し、その垂下壁２ｄの内側に横断面が円弧をなす上向きの鉤状に形成したものである。すなわち、この掛止溝２ｂは、略９０°程度の角度範囲にわたって円弧状に湾曲する横断面形状上向鉤形のものであり、その内方端面２ｅは、凹形の円筒面をなしている。
【００１２】
このような掛止溝２ｂに嵌入されるオプションを取り付けるためのオプション取付部材３は、取付台部３ａと、取付台部３ａの側面に突設される掛止爪３ｂとを一体成形したものからなる。取付台部３ａは略直方体形状をしており、その中央部分に取付用の貫通孔３ｃが穿設してある。掛止爪３ｂは、掛止溝２ｂに対応させて鉤状に形成してあり、その先端部分には掛止溝２ｂの内方端面２ｅに密着する凸形円筒面３ｄと、凸形円筒面３ｄに連続して掛止溝２ｂ内面全体に密着する湾曲面３ｅとを備えている。この実施例においては、取付台部３ａは、ローパーティション４の側端側の上下面４ａ，４ｂにボルト５により着脱可能に取り付けられるものである。
【００１３】
このオプション取付部材３は、次のようにしてローパーティションＬＰに取り付けるものである。上側のレール部材２の所望の位置においてオプション取付部材３を取り付ける場合、まず、掛止爪３ｂを下方に向けた状態で、掛止爪３ｂの凸形円筒面３ｄを掛止溝２ｂの開口縁２ａに当接させる。その状態から、掛止爪３ｂを掛止溝２ｂ内部に嵌入する。この時、掛止爪３ｂを嵌入しながら、オプション取付部材３を下方に回動させる。この回動動作により、掛止爪３ｂは掛止溝２ｂ内面に沿って内方端面２ｅに向かって摺動移動する。そして、オプション取付部材３の取付台部３ａが使用位置すなわち水平位置に達すると同時に、掛止爪３ｂの凸形円筒面３ｄが内方端面２ｅに当接し、かつ掛止爪３ｂの湾曲面３ｅが掛止溝２ｂの内面全体に密接する。このため、掛止爪３ｂと掛止溝２ｂとの間の摩擦力が大きくなり、オプション取付部材３は移動不能な状態で所望の位置に静止する。下側のレール部材２にオプション取付部材３を取り付ける場合は、上側の場合とは逆に、オプション取付部材３を上方に向かって回動させるものである。
【００１４】
以上のようにして、ローパーティションＬＰの上側のレール部材２と下側のレール部材２とにオプション取付部材３を取りつけた後、その間に取りつけようとするオプションつまり追加のローパーティション４を位置させる。これにより、追加のローパーティション４は、上下のオプション取付部材３間に挟持される状態となる。そして、取付台部３ａの貫通孔３ｃにボルト５を挿入して、取付台部３ａをローパーティションＬＰに固定することで、本体となるローパーティションＬＰに対して、柱部材等のない任意の位置に追加のローパーティション４をＴ字形に連結することになる。
【００１５】
このように、オプション取付部材３を一定方向に回動させるだけで、レール部材２に摺動移動不能に取り付けることができるので、作業性が大幅に向上する。したがって、オプションとしての追加のローパーティション４を取り付ける際の作業時間を短縮することができる。また、オプションを上下のオプション取付部材３により挟持するようにして取り付けるため、オプションの上部と下部とを確実に支持でき、十分な安定性を確保することができ、取付状態が不安定になることを防止することができる。さらに、ローパーティションＬＰのパネル１に対して、パネル１の幅寸法に拘束されることなく追加のローパーティション４を連結することができるので、室内を自由な区画寸法で間仕切ることができる。したがって、室内のレイアウトの設計が容易になり、設計の自由度が向上する。
【００１６】
さらに、掛止溝２ｂは、レール部材２の両側面に設けてあるため、追加のローパーティション４を取り付けた面とは反対側の面にも、追加のローパーティション４の取付位置とは無関係に、さらに追加のローパーティション４を取り付けることができる。したがって、追加する２枚のローパーティション４を一直線上に配置することも、段違いに配置することもできるものとなる。
【００１７】
なお、本発明は以上に説明した実施例に限定されるものではない。パネル１に取り付けるものとしては、上記したローパティション４以外に、本体となるローパーティションＬＰと同等の高さのボックスや各種のパネル等が挙げられる。
その他、各部の構成は図示例に限定されるものではなく、本発明の趣旨を逸脱しない範囲で種々変形が可能である。
【００１８】
【発明の効果】
以上のように、本発明によれば、オプション取付部材の掛止爪を掛止溝に回動させながら嵌入するので、作業性を向上させることができる。また、掛止溝の所望の位置言い換えれば任意の位置にオプション取付部材の掛止爪を嵌入させて、摺動移動不能に静止させるので、オプションを迅速にパネルに取り付けることができる。したがって、作業時間を短縮することができ、設置作業の能率を向上させることができる。また、オプションは、パネルの上縁部と下縁部とに取り付けられたオプション取付部材により挟持するようにして取り付けるため、オプションの上部と下部とが確実に支持され、十分な安定性を確保することができ、取付状態が不安定になることを防止することができる。さらに、パネルに対するオプションの位置をパネルの幅寸法等に拘束されることなく取り付けることができるので、配置を考える際の自由度を向上させることができる。
【００１９】
さらに、掛止溝として、パネルの上縁部と下縁部を形成するレール部材の側面部分に開口するように形成されるものとすれば、パネルの正面側から作業でき、さらに作業性を向上させることができる。
【図面の簡単な説明】
【図１】本発明の一実施例を示す斜視図。
【図２】同実施例の一部省略断面図。
【図３】同実施例のオプション取付部材の取付方法を示す要部拡大断面図。
【符号の説明】
１…パネル
１ａ…上縁部
１ｂ…下縁部
２…レール部材
２ａ…開口縁
２ｂ…掛止溝
３…オプション取付部材
３ｂ…掛止爪
４…ローパーティション
【図１】
0003613432.tif 000002
【図２】
0003613432.tif 000003
【図３】
0003613432.tif 000004